(57)【要約】【課題】ヒートポンプを加熱源とする床暖房機能が付加されたヒートポンプ給湯器については、深夜電力のみで運転すると湯切れする。【解決手段】深夜電力のみの設定時に床暖房リモコン２１で暖房運転を開始するとき、表示部に設定を変更することを使用者に促す表示を行う。【選択図】図３
2007085658.tif 000002
【特許請求の範囲】
【請求項１】
ポンプにより循環経路中を流れる水を加熱するヒートポンプ式の加熱手段と、前記加熱手段により加熱された循環経路中の湯により加温される端末部と、前記端末部の運転／停止を行う端末部用リモコンとを備え、前記加熱手段は深夜電力時間帯のみ運転する設定と昼間時間帯も運転する設定を備え、前記加熱手段の設定が深夜電力時間帯のみ運転する設定の場合に、前記端末部用リモコンを操作し運転開始させたとき、表示部に昼間時間帯も運転する設定に変更することを促す加熱装置。
【発明の詳細な説明】
【技術分野】
【０００１】
本発明は、温水床暖房装置の温度制御に関するものである。
【背景技術】
【０００２】
従来、この種の温水を用いた床暖房装置は、一般地ではガス給湯暖房機が、また寒冷地では石油を用いた温水ボイラが熱源機として多く使用されている。しかし、近年、給湯器の分野ではＣＯ２冷媒を用いた、ヒートポンプ給湯器が発売され、ランニングコストの安さと、環境にやさしい製品であることから急速に普及しており、また、この技術を用いて暖房機能が付加された多機能タイプが登場している。
【０００３】
ヒートポンプ給湯器は、３７０Ｌや４６０Ｌの貯湯タンクを持ち、深夜の安い電気を使って沸き上げを行い、それにさらにヒートポンプ運転の高効率が掛け合わされて、ガス給湯器に比べて約１／５のコストで給湯がまかなえる、というものである。
【０００４】
従来のこの種の暖房機能が付加されたヒートポンプ給湯器は、１つの部屋の床暖房パネルを複数の領域に分割して領域ごとに暖房するものであり、床暖房パネルと電磁三方弁、ヒートポンプと熱交換可能な熱交換器、及び貯湯槽に蓄えられた高温の湯水と熱交換可能な熱交換器からなる熱循環回路を備えている（たとえば、特許文献１参照）。
【０００５】
熱循環回路中には湯水が循環しており、ヒートポンプと熱交換可能な熱交換器または貯湯槽に蓄えられた高温の湯水と熱交換可能な熱交換器から得られた熱量を床暖房パネルで放熱する。
【０００６】
また、それぞれの床暖房パネルに対応して電磁開閉弁が設けられており、床暖房パネルの立ち上げが終了したとき、各電磁開閉弁のオン・オフのデューティー比を調節することにより、各床暖房パネルの定常状態を維持していた。
【特許文献１】特開２００２−３６４８６６号公報
【発明の開示】
【発明が解決しようとする課題】
【０００７】
ところで、上記暖房機能が付加されたヒートポンプ給湯器は、暖房機能が付加されたタイプでは、上記従来の給湯負荷に加えて、暖房負荷がプラスされるため、深夜電力で沸かした湯だけでは不足するケースが多く、不足分は昼間の運転で補うようにしている。  もし、使用者が夏場等で使用湯量が少ないときにランニングコストを下げるため深夜電力のみを使う設定にしていた場合、冬場になってその設定のまま暖房運転を行うと湯切れの恐れが高い。
【０００８】
本発明は、前記従来の課題を解決するもので、使用者が深夜電力のみを使う設定していた場合に、暖房運転を行うと暖房端末用リモコン操作時に給湯器の設定変更を促す表示を行い、使用者に気づかせ湯切れを防止することを目的とする。
【課題を解決するための手段】
【０００９】
ポンプにより循環経路中を流れる水を加熱するヒートポンプ式の加熱手段と、前記加熱手段により加熱された循環経路中の湯により加温される端末部と、前記端末部の運転／停止を行う端末部用リモコンとを備え、前記加熱手段は深夜電力時間帯のみ運転する設定と昼間時間帯も運転する設定を備え、前記加熱手段の設定が深夜電力時間帯のみ運転する設定の場合に、前記端末部用リモコンを操作し運転開始させたとき、表示部に昼間時間帯も運
転する設定に変更することを促すようにしたものである。
【発明の効果】
【００１０】
使用者が深夜電力のみを使う設定していた場合に、暖房運転を行うと暖房端末用リモコン操作時に給湯器の設定変更を促す表示を報知するので、使用者に気づかせ湯切れを防止することができる。
【発明を実施するための最良の形態】
【００１１】
第１の発明は、ポンプにより循環経路中を流れる水を加熱するヒートポンプ式の加熱手段と、前記加熱手段により加熱された循環経路中の湯により加温される端末部と、前記端末部の運転／停止を行う端末部用リモコンとを備え、前記加熱手段は深夜電力時間帯のみ運転する設定と昼間時間帯も運転する設定を備え、前記加熱手段の設定が深夜電力時間帯のみ運転する設定の場合に、前記端末部用リモコンを操作し運転開始させたとき、表示部に昼間時間帯も運転する設定に変更することを促す加熱装置である。
【００１２】
これにより、使用者が深夜電力のみを使う設定していた場合に、暖房運転を行うと暖房端末用リモコン操作時に給湯器の設定変更を促す表示を報知するので、使用者に気づかせ湯切れを防止することができる。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における加熱装置の構成図を示すものである。
【００１５】
図１において、加熱装置は湯を加熱するヒートポンプユニット１とその湯を貯蔵するタンクユニット２から構成されている。ヒートポンプユニット１は、圧縮機１５や蒸発器１６、熱交換器１７から構成されており、その内部を循環する冷媒により熱交換器１７で放熱を行うことによって湯を加熱する。
【００１６】
タンクユニット２は、ヒートポンプユニット１により加熱された湯を蓄える貯湯タンク３を備え、沸き上げポンプ４を介して貯湯タンク３の下部にある低温水がヒートポンプユニット１に供給され、熱交換器１７を介して沸き上げを行う。そして、沸き上げられた湯は貯湯タンク３の上部に戻される。
【００１７】
沸き上げられた高温の湯は、貯湯タンク３の上部から取り出され、蛇口１８から出湯される以外に、暖房用熱交換器５及び浴槽用熱交換器１９を介して放熱される。そして放熱された湯は、貯湯タンク３の下部へ戻される。図１では、貯湯タンク３の上部から暖房用熱交換器５または浴槽用熱交換器１９を介して貯湯タンク３の下部へ接続される放熱回路を形成している。また、放熱回路内では暖房用熱交換器５、浴槽用熱交換器１９はそれぞれが並列となるように接続されており、片方の熱交換器から放熱することもできれば、両方の熱交換器から同時に放熱することもできる。
【００１８】
浴槽用熱交換器１９を介して放熱された熱は、浴槽２０を沸き上げる以外にも沸き増しを行うために利用される。また、暖房用熱交換器５を介して放熱された熱は、暖房パネル１３（１３a及び１３ｂ）を介して床暖房として機能する。
【００１９】
床暖房は、暖房用熱交換器５、暖房循環ポンプ８、暖房戻りサーミスタ９、暖房往きサーミスタ１０、膨張タンク１１、熱動弁１２、暖房パネル１３により形成される暖房回路により行われる。床暖房の温度制御は、暖房循環ポンプ８をオンして、湯を循環させなが
ら、暖房往きサーミスタ１０の温度に応じて暖房熱交ポンプ６の流量を制御して、目標の湯温になるように動作している。
【００２０】
床暖房パネル１３は、１３ａ、１３ｂの２系統が接続されており、暖房回路上を並列に分岐させて、床暖房パネル１３ａ及び１３ｂが並列となるように設置される。また、各床暖房パネル１３ａと１３ｂにそれぞれ対応して熱動弁１２（１２ａ、１２ｂ）が接続されている。また、膨張タンク１１は暖房水の膨張、収縮を吸収するものである。
【００２１】
床暖房の温度制御は、上記以外に放熱回路を流れる湯水の循環量を制御することにより行われる。すなわち、放熱回路上に暖房熱交ポンプ６と暖房熱交出口サーミスタ７を設け、循環する湯水の温度を暖房熱交出口サーミスタ７で検出し、その検出温度に応じて暖房熱交ポンプ６の回転数を制御する。
【００２２】
また、床暖房の温度設定は、床暖房リモコン２１により使用者が任意に設定できる。図２は、本発明の第１の実施の形態における床暖房リモコン２１の外観図を示すもので、床暖房リモコン２１は、床温度を設定する温度設定部１４を備えている。
【００２３】
以上のように構成された加熱装置について、以下その動作、作用を説明する。
【００２４】
まず、ヒートポンプユニット１による沸き上げは電気代の安価な深夜に貯湯タンク３全量を沸き上げる。深夜電力のみの設定「深夜のみ」の場合は以降の沸き上げは行わず、貯湯タンク３のお湯を使い切ると給湯、ふろ湯張り、ふろ沸き増し、暖房運転はできなくなる。昼間沸き増しを行う設定「おまかせ」では、貯湯タンク３の残湯量や湯温が一定以下にならないようヒートポンプユニット１による沸き増しを自動で行い湯切れしないように動作する。なお、沸き上げの設定は台所リモコン（図示せず）で切り替える。
【００２５】
深夜電力のみの設定で、床暖房パネル１３ａに対応した床暖房リモコン２１の運転切／入ボタンを操作して、床暖房運転をスタートすると、図３のように床暖房リモコン２１の表示部に「台所リモコンで１日に沸かす湯量をおまかせにしてください」が一定時間表示され使用者に設定の変更を促す。
【産業上の利用可能性】
【００２６】
本発明は温水を用いて、暖房を行うシステムのヒートポンプを加熱源とする熱源機湯切れ防止に効果を発揮する。
【図面の簡単な説明】
【００２７】
【図１】本発明の実施の形態における加熱装置の構成図
【図２】本発明の実施の形態における床暖房リモコンの外観図
【図３】本発明の実施の形態における床暖房リモコンの表示図
【符号の説明】
【００２８】
１  タンクユニット
２  ヒートポンプユニット
５  暖房用熱交換器
６  暖房熱交ポンプ
８  暖房循環ポンプ
１０  暖房往きサーミスタ
１２  熱動弁
１３  床暖房パネル
２１  床暖房リモコン
【図１】
2007085658.tif 000003
【図２】
2007085658.tif 000004
【図３】
2007085658.tif 000005